(57)【要約】      （修正有）【課題】まつ毛カーラーを提供する。【解決手段】互いに交差状に枢結されて連動関係をもつメインハンドル２１とサブハンドル２２とを有し、これらの作動により開閉作用を行う上部弧状板２３、下部弧状板２４とを備え、下部弧状板に凹溝状座２４１が成形され、上部弧状板と下部弧状板との間に着設された挟持メイン部材２５は、頂部に円弧状の押圧縁面が隆起しており、両外側端から外向きにそれぞれ適切な一節の展張縁段２５２２が延設される挟持部２５１と、底部に突設される枢着部２５４及び位置規制溝とを接合してなる弧形状の弾性ゴム条であり、挟持部の長さを枢着部の長さよりも長くすることで、挟持メイン部材の枢着部を下部弧状板の凹溝状座に着設して、位置規制溝により位置決めし、挟持部を上部弧状板に相対させ、下部弧状板を上部弧状板に向けて押動圧接する時、挟持メイン部材の頂部の挟持部が支持面に形成され、まつ毛を付勢圧挟して上向きにカールアップさせることができる。【選択図】図１
0003215802.tif 000002
【実用新案登録請求の範囲】
【請求項１】
互いに交差状に枢結されたメインハンドル及びサブハンドルと、前記メインハンドル及び前記サブハンドルの作動により接離可能とされる上部弧状板及び下部弧状板とを備えるまつ毛カーラーであって、
前記下部弧状板に凹溝状座が成形されており、前記上部弧状板と前記下部弧状板との間に挟持メイン部材が着設され、
前記挟持メイン部材は、頂部に円弧状の押圧縁面が隆起しており、両外側端から外向きにそれぞれ適切な一節の展張縁段が延出する挟持部と、底部から下向きに突設される適切な一節の枢着部とを接合してなる弧形状の弾性ゴム条であり、前記挟持部の長さを前記枢着部の長さよりも長くさせることで、両外側末端の当該展張縁段の底側が一部空中に浮いた部分を呈すると共に、前記挟持メイン部材の底部の前記枢着部を前記下部弧状板の前記凹溝状座に係合して位置決めするように着設することで、頂部の前記挟持部を前記上部弧状板に相対させることにより、前記下部弧状板の引き動作により前記上部弧状板に向けて押動圧接しつつ力を加えて挟圧する時、前記挟持メイン部材の頂部の円弧状の前記押圧縁面の前記挟持部が受承力をより具備する支持面に形成されることで、まつ毛を上向きにカールアップさせると同時に、両外側末端の当該展張縁段の底側の一部空中に浮いた部分には押付支持するための支持面がなく、圧潰を受けた時に外向きに押し広げることにより、まつ毛の両外側端部を挟圧幅長さにおいてさらに外側に向けて拡展してカールアップすることで、一回の操作だけで迅速な位置決めをより一層容易に達成し、カールアップ形状を固定させることを特徴とするまつ毛カーラー。
【請求項２】
前記挟持メイン部材の頂部の前記挟持部の両外側末端の当該展張縁段の底側には、底部の前記枢着部の端部と相接合するように、下向きに延設される適切な一節の逆斜段が設けられることを特徴とする請求項１に記載のまつ毛カーラー。
【請求項３】
前記挟持メイン部材の底部には、前記枢着部の外縁側に対応して位置規制溝が設けられることで、前記挟持メイン部材を前記下部弧状板の前記凹溝状座に互いに係合して位置規制するように着設することを特徴とする請求項１に記載のまつ毛カーラー。
【請求項４】
前記挟持メイン部材の底部には、前記枢着部の外縁側に対応して前記枢着部と類似する弧状を呈する位置規制溝が設けられることを特徴とする請求項２に記載のまつ毛カーラー。
【考案の詳細な説明】
【技術分野】
【０００１】
本考案は、まつ毛カーラーに関するものであり、さらに詳しくは、その挟持メイン部材の頂部の挟持部は、両外側端から外向きにそれぞれ底部の枢着部の長さよりも長い適切な一節の展張縁段が延設されることにより、一回の操作だけで、かつ迅速にまつ毛のカールアップを仕上げると共にまつ毛を両外側向きに押し広げて所望の形状に整えることがより容易に達成できるまつ毛カーラーに関するものである。
【背景技術】
【０００２】
図８〜図１１に示すように、一般のまつ毛カーラー１０は、ユーザーの手で操作するための連動関係をもつメインハンドル１１及びサブハンドル１２と、メインハンドル１１及びサブハンドル１２の作動により接離作用を行う上部弧状板１３及び下部弧状板１４とを備え、かつ下部弧状板１４に若干の位置規制ピン１４２を具備する凹溝状座１４１が成形されており、上部弧状板１３と下部弧状板１４との間にまつ毛Ａを挟み曲げてカールアップするためのキーとなる挟持メイン部材１５が着設されている前記挟持メイン部材１５は、弾性をもつ弧形状を呈するパッド体として設けられ、頂部に隆起する円弧状の押圧縁面１５１と、底部に下段に向かうにつれて漸次縮幅する枢着部１５２とを有し、挟持メイン部材１５の枢着部１５２を下部弧状板１４の凹溝状座１４１内に枢着して収容規制する。これによる枢着位置決めで、メインハンドル１１及びサブハンドル１２を操作することにより、下部弧状板１４を上向きに上部弧状板１３に相対させるまで位置をずらすように作動することで、下部弧状板１４内に位置する挟持メイン部材１５と、上部弧状板１３とは、同時にまつ毛Ａの後端部Ａ１まで挟み込まれ、まつ毛Ａの前端部Ａ２を湾曲させて型付けされる。
【０００３】
しかしながら、挟持メイン部材１５は、頂部の円弧状の押圧縁面１５１と、底部の枢着部１５２とで形成された上下に等しい長さの弧形状を呈するパッド体であり、挟圧時には、たとえ目尻の終り域に対応する目尻部のまつ毛Ａを挟圧する際に、いずれも中央域のまつ毛Ａの上下に均等に集中して力を受けて圧潰されると、まつ毛Ａの中央域の前端部Ａ２のみを上方へ適切なカール度でカールアップすることができるが、外向きに幅広く押し広げることができない（図１１参考照）という難点があった。
【考案の概要】
【考案が解決しようとする課題】
【０００４】
従って、本考案の課題は、従来のまつ毛カーラーでは、前記の通りの問題点を有することに鑑み、まつ毛カーラーの押圧操作において、一回の操作だけで、挟み曲げ、カールアップ、押し広げの効果を奏するまつ毛カーラーを提供することにある。
【課題を解決するための手段】
【０００５】
そこで、本考案者は、前記の本考案の課題を解決するため鋭意検討を重ねた結果、後述するように、メインハンドル、サブハンドルの作動により開閉作用を行う上部弧状板、下部弧状板との間に挟持部材を着設させる構造を採ることにより前記課題を解決できることに着目し、本考案に想到するに至った。
【０００６】
すなわち、本考案によれば、まつ毛カーラーを提供することであり、メインハンドル、サブハンドルの作動により開閉作用を行う上部弧状板、下部弧状板との間に着設される挟持メイン部材は、弧形状の弾性ゴム条である前記挟持メイン部材の頂部に円弧状の押圧縁面が設けられ、両外側端から外向きにそれぞれ適切な一節の展張縁段が延設される挟持部と、底部に突設される枢着部及び位置規制溝とを接合して、頂部の挟持部の長さを底部の枢着部の長さよりも長くさせ、両外側末端の展張縁段と底部の枢着部とに階段状段差を形成した一部空中に浮いた部分を呈することにより、挟持メイン部材の枢着部を下部弧状板の凹溝状座に着設する時、底部の位置規制溝により係合固設して位置決めできることにより、頂部の挟持部を上部弧状板に相対させると共に、メインハンドル、サブハンドルを操作することにより力を加えつつ下部弧状板を上部弧状板に向けて押動圧接すると、挟持メイン部材の頂部の円弧状の押圧縁面が受承力をより具備する支持面に形成されることで、まつ毛を挟圧して上向きにカールアップさせると同時に、その両外側末端の展張縁段の底側の一部空中に浮いた部分には押付支持するための支持面がなく、両外側向きに圧潰拡展することで、まつ毛の両外側端部もそれにつれて外向きに押し広げ、または拡展してカールアップ可能なまつ毛カーラーを提供することができる。
【０００７】
かくして、本考案の要旨は、次の（１）〜（４）に記載の通りである。
（１） 互いに交差状に枢結されたメインハンドル及びサブハンドルと、前記メインハンドル及び前記サブハンドルの作動により接離可能とされる上部弧状板及び下部弧状板とを備えるまつ毛カーラーであって、
前記下部弧状板に凹溝状座が成形されており、前記上部弧状板と前記下部弧状板との間に挟持メイン部材が着設され、
前記挟持メイン部材は、頂部に円弧状の押圧縁面が隆起しており、両外側端から外向きにそれぞれ適切な一節の展張縁段が延出する挟持部と、底部から下向きに突設される適切な一節の枢着部とを接合してなる弧形状の弾性ゴム条であり、前記挟持部の長さを前記枢着部の長さよりも長くさせることで、両外側末端の当該展張縁段の底側が一部空中に浮いた部分を呈すると共に、前記挟持メイン部材の底部の前記枢着部を前記下部弧状板の前記凹溝状座に係合して位置決めするように着設することで、頂部の前記挟持部を前記上部弧状板に相対させることにより、前記下部弧状板の引き動作により前記上部弧状板に向けて押動圧接しつつ力を加えて挟圧する時、前記挟持メイン部材の頂部の円弧状の前記押圧縁面の前記挟持部が受承力をより具備する支持面に形成されることで、まつ毛を上向きにカールアップさせると同時に、両外側末端の当該展張縁段の底側の一部空中に浮いた部分には押付支持するための支持面がなく、圧潰を受けた時に外向きに押し広げることにより、まつ毛の両外側端部を挟圧幅長さにおいてさらに外側に向けて拡展してカールアップすることで、一回の操作だけで迅速な位置決めをより一層容易に達成し、カールアップ形状を固定させることを特徴とするまつ毛カーラー。
【０００８】
（２）前記挟持メイン部材の頂部の前記挟持部の両外側末端の当該展張縁段の底側には、底部の前記枢着部の端部と相接合するように、下向きに延設される適切な一節の逆斜段が設けられることを特徴とする前記（１）に記載のまつ毛カーラー。
【０００９】
（３）前記挟持メイン部材の底部には、前記枢着部の外縁側に対応して位置規制溝が設けられることで、前記挟持メイン部材を前記下部弧状板の前記凹溝状座に互いに係合して位置規制するように着設することを特徴とする前記（１）に記載のまつ毛カーラー。
【００１０】
（４）前記挟持メイン部材の底部には、前記枢着部の外縁側に対応して前記枢着部と類似する弧状を呈する位置規制溝が設けられることを特徴とする前記（２）に記載のまつ毛カーラー。
【考案の効果】
【００１１】
本考案によれば、従来のように不用意な操作により、まつ毛の根元が挟まれて引っ張られるおそれがない上、まつ毛カーラーの挟圧を連続的に何回も繰り返す必要もなく、一回の操作だけで、かつ迅速にまつ毛のカールアップを仕上げ、まつ毛を広げて所望の形状に整えることがより容易に達成できる、まつ毛カーラーを提供することができる。
【図面の簡単な説明】
【００１２】
【図１】本考案の一実施形態に係るまつ毛カーラーの分解斜視図である。
【図２】本考案の一実施形態に係るまつ毛カーラーの挟持メイン部材の拡大図である。
【図３】本考案の一実施形態に係るまつ毛カーラーの挟持メイン部材の底面拡大図である。
【図４】本考案の一実施形態に係るまつ毛カーラーの挟持メイン部材の正面拡大図である。
【図５】本考案の一実施形態に係るまつ毛カーラーの挟持メイン部材の組合せ斜視図である。
【図６】本考案の一実施形態に係るまつ毛カーラーの挟持メイン部材とまつ毛カーラーの使用状態図である。
【図７】本考案の第２実施形態に係るまつ毛カーラーの挟持メイン部材の底面拡大図である。
【図８】従来技術に係るまつ毛カーラーの使用状態図一である。
【図９】従来技術に係るまつ毛カーラーの使用状態図二である。
【図１０】従来技術に係るまつ毛カーラーの挟持メイン部材の拡大図である。
【図１１】従来技術に係るまつ毛カーラーの挟持メイン部材の底面拡大図である。
【考案を実施するための形態】
【００１３】
以下、本考案について図面により説明するが、本考案はかかる図面のみにより限定されるものではない。
1.第１実施例
図１〜図６に示すように、本考案に係るまつ毛カーラー２０は、互いに交差状に枢結されて連動関係をもつメインハンドル２１及びサブハンドル２２と、メインハンドル２１及びサブハンドル２２の作動により接離作用を行う上部弧状板２３及び下部弧状板２４とを備えたものである。前記下部弧状板２４に凹溝状座２４１が成形されており、上部弧状板２３と下部弧状板２４との間に挟持メイン部材２５が着設される。前記挟持メイン部材２５は、弧形状の弾性ゴム条であり、頂部に円弧状の押圧縁面が隆起しており、両外側端から外向きにそれぞれ適切な一節の展張縁段２５２２が延出する挟持部２５１と、底部から下向きに突設される適切な一節の枢着部２５４とを有する。  底部には、枢着部２５４の前辺側及び後辺側に対応して枢着部２５４と類似する弧状を呈する適切な一節の位置規制溝２５５が設けられる。頂部の挟持部２５１の長さを底部の枢着部２５４の長さよりも長くさせ、両外側末端の展張縁段２５２２と底部の枢着部２５４とに階段状段差を形成した一部空中に浮いた部分を呈することで、挟持メイン部材２５の枢着部２５４が下部弧状板２４の凹溝状座２４１に嵌め込まれる時、その凹溝状座２４１の溝枠は、同時に挟持メイン部材２５の底部の位置規制溝２５５により互いに制限されて係合固設されることで、挟持メイン部材２５が前記下部弧状板２４の凹溝状座２４１に位置決めされ、上部弧状板２３に相対することになる。
【００１４】
まつ毛カーラー２０のメインハンドル２１及びサブハンドル２２を握持してまつ毛Ａに近づけ、上部弧状板２３及び下部弧状板２４を作動させることにより、まつ毛Ａを挟持してカールアップする時、図６に示すように、メインハンドル２１及びサブハンドル２２により下部弧状板２４に力を加えつつ上向きに押動変位させると、挟持メイン部材２５の頂部の比較的長い弧状辺の挟持部２５１を、下部弧状板２４を上部弧状板２３に向けて押圧挟圧することにより、まつ毛Ａの後端部Ａ１をそれぞれ頂部の円弧状の押圧縁面に弧状に貼り付け、力を加えて挟圧する時、まつ毛Ａが付勢により挟持部２５１と上部弧状板２３との間に挟圧されて挟持押付を受けることで、まつ毛Ａの前端部Ａ２を付勢により上向きにカールアップさせることができると同時に、その両外側末端の展張縁段２５２２の底側の一部空中に浮いた部分には押付支持するための支持面がなく、圧潰を受けた時に両外側が付勢により外向きに拡展して押し広げられことにより、まつ毛Ａの両外側端部Ａ３が自然に外向きに押し広げられてカールアップされた様子を示してる。まつ毛Ａの両外側端部Ａ３を挟圧幅長さにおいてさらに外側に向けて拡展してカールアップすることが達成され、及び従来技術のように不用意な操作によりまつ毛Ａの根元が挟まれて引っ張られるおそれがなく、一回の操作だけで、かつ迅速にカールアップ形状を固定形成させる状態がより容易に達成できることから、そのまつ毛Ａを押し広げてカールアップして所望の形状に整える。これにより、まつ毛Ａを挟み曲げてカールアップする操作が達成され、その上、一回の操作だけで、かつ迅速にまつ毛Ａのカールアップを仕上げ、まつ毛Ａを押し広げて所望の形状に整えたパーフェクトな挟持整形がより容易に達成できる。まつ毛カーラー２０の挟圧を連続的に何回も繰り返す必要がなくなり、まつ毛Ａを挟んでアップさせる目的を容易に達成することができる。
2.第２実施例
【００１５】
図７に示すように、前記挟持メイン部材２５の頂部の挟持部２５１の両外側末端の展張縁段２５２２は、その底側端縁には、枢着部２５４の端部と接合するように、下向きに延設される逆斜段２５２３が設けられてもよく、これにより、圧潰を受けた時に両外側末端の展張縁段２５２２を付勢により外向きに拡展して押し広げるようにすることができる。
【符号の説明】
【００１６】
従来技術
１０：まつ毛カーラー
１１：メインハンドル
１２：サブハンドル
１３：上部弧状板
１４：下部弧状板
１４１：凹溝状座
１４２：位置規制ピン
１５：挟持メイン部材
１５１：押圧縁面
１５２：枢着部
Ａ：まつ毛
Ａ１：後端部
Ａ２：前端部
本考案
２０：まつ毛カーラー
２１：メインハンドル
２２：サブハンドル
２３：上部弧状板
２４：下部弧状板
２４１：凹溝状座
２５：挟持メイン部材
２５１：挟持部
２５２２：展張縁段
２５２３：逆斜段
２５４：枢着部
２５５：位置規制溝 
Ａ：まつ毛
Ａ１：後端部
Ａ２：前端部
Ａ３：外側端部
【図１】
0003215802.tif 000003
【図２】
0003215802.tif 000004
【図３】
0003215802.tif 000005
【図４】
0003215802.tif 000006
【図５】
0003215802.tif 000007
【図６】
0003215802.tif 000008
【図７】
0003215802.tif 000009
【図８】
0003215802.tif 000010
【図９】
0003215802.tif 000011
【図１０】
0003215802.tif 000012
【図１１】
0003215802.tif 000013